(57)【要約】      （修正有）【課題】多くの種類の彩色筆の中から使用する彩色筆を選択するのに便利な彩色筆を提供する。【解決手段】複数の芯３６を保持する転換輪４３を回転軸３５を中心に回転可能に保持する機構を有する切換チャンバ４２と、該回転軸３５を回転させこれから使用する筆を選択する回転輪２７と、スライドすることで選択した筆を使用可能な位置に突出させる推しヘッド２３と、筆を突出させるための筆出し用フック６０とからなるボディー１０とする。【選択図】図１
2020183104.tif 000002
【特許請求の範囲】
【請求項１】
正面視で、ボディーを含み、前記ボディーの中には芯を切り替えることができる切替部品が設置され、前記切替部品は前記ボディーの中に設置された切換チャンバと芯とを含み、前記芯には位置制限ブロックが固定的に設置され、前記切換チャンバの上下内壁の間には回転軸が回転できるように取り付けられ、前記回転軸には前記芯を挟める転換輪が固定的に取り付けられ、前記転換輪には筆引っ掛かり溝が設置され、前記筆引っ掛かり溝は回転軸に関して中心対称であり、前記筆引っ掛かり溝の中には挟みシート溝が設置され、前記挟みシート溝の中には芯を直接にきつく挟める挟みシートが設置され、前記切換チャンバの頂壁には環状の第一調節リングが固定的に取り付けられ、前記第一調節輪には第二調節リングがスライドできるように取り付けられ、前記第二調節リングは前記芯と前記転換輪との間の対応した位置を調整でき、前記第二調節リングと前記第一調節リングとの間には調節ばねが固定的に取り付けられ、前記切換チャンバの上側にはギヤチャンバが設置され、前記回転軸が上方へ前記ギヤチャンバを貫通しており、前記回転軸のうち前記ギヤチャンバの中に位置しているところには第一ギヤが固定的に取り付けられ、前記第一ギヤの上側端面には前記第一ギヤの回転角度を限定できる円形凹溝が中心対称的に設置され、前記円形凹溝と前記芯との配置角度が対応しており、前記ギヤチャンバの頂部端面には前記ギヤチャンバと連通した第二推し動かしばねが設置され、前記第二推し動かしばねの中には前記円形凹溝と協働できる円錐型棒状体がスライドできるように取り付けられ、前記円錐型棒状体と前記第二推し動かしばねの底壁との間には円錐型棒状体溝が固定的に取り付けられ、前記第一ギヤが一つの角度回転すれば芯に相応した角度を回転させることができ、それによって異なる芯の切換を実現でき、
前記切換部品の間の右側には選択部品が設置され、前記選択部品は前記切換チャンバの右側に設置された推し動かしブロック溝を含み、前記推し動かしブロック溝の中には推し動かしブロックがスライドできるように取り付けられ、前記推し動かしブロック溝の右側内壁と前記ボディーの右側端面との間には連通した推しヘッド溝が設置され、前記推し動かしブロックには手で直接に推し動かされることができる推しヘッドが固定的に取り付けられ、前記推し動かしブロック溝の左側内壁と前記切換チャンバの右側内壁との間には連通した位置制限ロッド溝が設置され、前記推し動かしブロックの左側端面には第一位置制限ロッドが固定的に取り付けられ、前記第一位置制限ロッドの左側末端には芯を推し動かして下方へスライドさせることができる第二位置制限ロッドがヒンジで連結され、前記第一位置制限ロッドの底部端面には前記芯を上方へスライドさせることができる第三位置制限ロッドが固定的に取り付けられ、推しヘッドを推し動かすと、第一位置制限ロッドと第二位置制限ロッドとを連動させて異なる色の芯を選択できることを特徴とする彩色筆。
【請求項２】
前記切換部品はまた前記切換チャンバの左側内壁と前記ボディーの左側端面との間に設置された筆替え溝を含み、前記ギヤチャンバの頂壁の中には前記ギヤチャンバと連通したローラー溝が設置され、前記ローラー溝の上下内壁の間にはローラー軸が回転できるように取り付けられ、前記ローラー軸にはカラーバー付きローラーが固定的に取り付けられ、前記カラーバー付きローラーには前記芯と対応した色付きベルトが設置され、前記カラーバー付きローラーの下側端面には回転輪が固定的に取り付けられ、前記回転輪の下側端面には第二ギヤが固定的に取り付けられ、前記ギヤチャンバの上下内壁の間には中間ギヤが回転できるように取り付けられ、前記中間ギヤと前記第一ギヤとが噛み合っており、前記中間ギヤと前記第二ギヤとが噛み合っていることを特徴とする請求項１に記載の彩色筆。
【請求項３】
前記選択部品はまた前記切換チャンバの底壁と前記ボディーの底部端面との間に設置された筆だし用フック溝を含み、前記筆だし用フック溝の左右内壁の中には挟みカバーが設置され、前記第二位置制限ロッドと前記第一位置制限ロッドとの間にはトーションばねが固定的に取り付けられ、前記推し動かしブロックの底部端面にはフックが固定的に取り付けられ、前記推し動かしブロックの頂部端面と前記推し動かしブロック溝の底壁との間には第二推し動かしばねが固定的に取り付けられ、前記推し動かしブロック溝の底壁には前記推し動かしブロック溝と連通したフック溝が設置され、前記フック溝の左右内壁の中にはフック溝と連通した押しボタン溝が設置され、前記押しボタン溝の中には押しボタンがスライドできるように取り付けられ、前記押しボタンの左側端面と前記押しボタン溝の左側内壁との間には押しボタンばねが固定的に取り付けられ、前記押しボタンには固定棒状体が固定的に取り付けられ、前記固定棒状体と前記フックとが互いに引っ掛かることができることを特徴とする請求項１に記載の彩色筆。
【発明の詳細な説明】
【技術分野】
【０００１】
本発明は文具用品分野に関わり、具体的には彩色筆である。
【背景技術】
【０００２】
今、学生に使用される彩色筆の種類は多く、しかも大きなケースで貯蔵する必要があり、スペースがかなりかかり、今使用される一体式の彩色筆は色を選択する時に非常に不便であり、字を書く時に芯が揺れ動きやすく、使用に影響を及ぼす。
【先行技術文献】
【特許文献】
【０００３】
【特許文献１】中国特許出願公開第１０５８５２３７３号明細書
【発明の概要】
【発明が解決しようとする課題】
【０００４】
本発明は彩色筆を提供し、既存技術にある上記欠点を解消することを目的とする。
【課題を解決するための手段】
【０００５】
本発明の実施例の彩色筆は、ボディーを含み、前記ボディーの中には芯を切り替えることができる切替部品が設置され、前記切替部品は前記ボディーの中に設置された切換チャンバと芯とを含み、前記芯には位置制限ブロックが固定的に設置され、前記切換チャンバの上下内壁の間には回転軸が回転できるように取り付けられ、前記回転軸には前記芯を挟める転換輪が固定的に取り付けられ、前記転換輪には筆引っ掛かり溝が設置され、前記筆引っ掛かり溝は回転軸に関して中心対称であり、前記筆引っ掛かり溝の中には挟みシート溝が設置され、前記挟みシート溝の中には芯を直接にきつく挟める挟みシートが設置され、前記切換チャンバの頂壁には環状の第一調節リングが固定的に取り付けられ、前記第一調節輪には第二調節リングがスライドできるように取り付けられ、前記第二調節リングは前記芯と前記転換輪との間の対応した位置を調整でき、前記第二調節リングと前記第一調節リングとの間には調節ばねが固定的に取り付けられ、前記切換チャンバの上側にはギヤチャンバが設置され、前記回転軸が上方へ前記ギヤチャンバを貫通しており、前記回転軸のうち前記ギヤチャンバの中に位置しているところには第一ギヤが固定的に取り付けられ、前記第一ギヤの上側端面には前記第一ギヤの回転角度を限定できる円形凹溝が中心対称的に設置され、前記円形凹溝と前記芯との配置角度が対応しており、前記ギヤチャンバの頂部端面には前記ギヤチャンバと連通した第二推し動かしばねが設置され、前記第二推し動かしばねの中には前記円形凹溝と協働できる円錐型棒状体がスライドできるように取り付けられ、前記円錐型棒状体と前記第二推し動かしばねの底壁との間には円錐型棒状体溝が固定的に取り付けられ、前記第一ギヤが一つの角度回転すれば芯に相応した角度を回転させることができ、それによって異なる芯の切換を実現でき、前記切換部品の間の右側には選択部品が設置され、前記選択部品は前記切換チャンバの右側に設置された推し動かしブロック溝を含み、前記推し動かしブロック溝の中には推し動かしブロックがスライドできるように取り付けられ、前記推し動かしブロック溝の右側内壁と前記ボディーの右側端面との間には連通した推しヘッド溝が設置され、前記推し動かしブロックには手で直接に推し動かされることができる推しヘッドが固定的に取り付けられ、前記推し動かしブロック溝の左側内壁と前記切換チャンバの右側内壁との間には連通した位置制限ロッド溝が設置され、前記推し動かしブロックの左側端面には第一位置制限ロッドが固定的に取り付けられ、前記第一位置制限ロッドの左側末端には芯を推し動かして下方へスライドさせることができる第二位置制限ロッドがヒンジで連結され、前記第一位置制限ロッドの底部端面には前記芯を上方へスライドさせることができる第三位置制限ロッドが固定的に取り付けられ、推しヘッドを推し動かすと、第一位置制限ロッドと第二位置制限ロッドとを連動させて異なる色の芯を選択できる。
【０００６】
さらなる技術プランとして、前記切換部品はまた前記切換チャンバの左側内壁と前記ボディーの左側端面との間に設置された筆替え溝を含み、前記ギヤチャンバの頂壁の中には前記ギヤチャンバと連通したローラー溝が設置され、前記ローラー溝の上下内壁の間にはローラー軸が回転できるように取り付けられ、前記ローラー軸にはカラーバー付きローラーが固定的に取り付けられ、前記カラーバー付きローラーには前記芯と対応した色付きベルトが設置され、前記カラーバー付きローラーの下側端面には回転輪が固定的に取り付けられ、前記回転輪の下側端面には第二ギヤが固定的に取り付けられ、前記ギヤチャンバの上下内壁の間には中間ギヤが回転できるように取り付けられ、前記中間ギヤと前記第一ギヤとが噛み合っており、前記中間ギヤと前記第二ギヤとが噛み合っている。
【０００７】
さらなる技術プランとして、前記選択部品はまた前記切換チャンバの底壁と前記ボディーの底部端面との間に設置された筆だし用フック溝を含み、前記筆だし用フック溝の左右内壁の中には挟みカバーが設置され、前記第二位置制限ロッドと前記第一位置制限ロッドとの間にはトーションばねが固定的に取り付けられ、前記推し動かしブロックの底部端面にはフックが固定的に取り付けられ、前記推し動かしブロックの頂部端面と前記推し動かしブロック溝の底壁との間には第二推し動かしばねが固定的に取り付けられ、前記推し動かしブロック溝の底壁には前記推し動かしブロック溝と連通したフック溝が設置され、前記フック溝の左右内壁の中にはフック溝と連通した押しボタン溝が設置され、前記押しボタン溝の中には押しボタンがスライドできるように取り付けられ、前記押しボタンの左側端面と前記押しボタン溝の左側内壁との間には押しボタンばねが固定的に取り付けられ、前記押しボタンには固定棒状体が固定的に取り付けられ、前記固定棒状体と前記フックとが互いに引っ掛かることができる。
【発明の効果】
【０００８】
本発明の有益な効果は：本発明は異なる色の彩色筆を同じのボディーの中に置くことができ、それは占用されるスペースを減少し、色の選択に便利であり、字を書く又は彩色筆を通常に貯蔵する時、芯の位置は唯一で固定され、位置ずれは発生しなく、使用が便利で、普及する価値がある。
【図面の簡単な説明】
【０００９】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構成概略図
【図２】図２は図１の中のＡ―Ａ方向の断面構成概略図
【図３】図３は図１の中のＢ―Ｂ方向の断面構成概略図
【図４】図４は図１の中のＣ―Ｃ方向の断面構成概略図
【図５】図５は図１の中のＤのところの拡大構成概略図
【図６】図６は図１の中のＥのところの拡大構成概略図
【図７】図７は部品の第一ギヤ３１の平面構成概略図
【発明を実施するための形態】
【００１１】
図１〜７を参照し、本発明の実施例の彩色筆は、ボディー１０を含み、前記ボディー１０の中には芯３６を切り替えることができる切替部品８０が設置され、前記切替部品８０は前記ボディー１０の中に設置された切換チャンバ４２と芯３６とを含み、前記芯３６には位置制限ブロック３７が固定的に設置され、前記切換チャンバ４２の上下内壁の間には回転軸３５が回転できるように取り付けられ、前記回転軸３５には前記芯３６を挟める転換輪４３が固定的に取り付けられ、前記転換輪４３には筆引っ掛かり溝４４が設置され、前記筆引っ掛かり溝４４は回転軸３５に関して中心対称であり、前記筆引っ掛かり溝４４の中には挟みシート溝４５が設置され、前記挟みシート溝４５の中には芯３６を直接にきつく挟める挟みシート４６が設置され、前記切換チャンバ４２の頂壁には環状の第一調節リング４８が固定的に取り付けられ、前記第一調節輪４８には第二調節リング４７がスライドできるように取り付けられ、前記第二調節リング４７は前記芯３６と前記転換輪４３との間の対応した位置を調整でき、前記第二調節リング４７と前記第一調節リング４８との間には調節ばね４９が固定的に取り付けられ、前記切換チャンバ４２の上側にはギヤチャンバ３０が設置され、前記回転軸３５が上方へ前記ギヤチャンバ３０を貫通しており、前記回転軸３５のうち前記ギヤチャンバ３０の中に位置しているところには第一ギヤ３１が固定的に取り付けられ、前記第一ギヤ３１の上側端面には前記第一ギヤ３１の回転角度を限定できる円形凹溝５０が中心対称的に設置され、前記円形凹溝５０と前記芯３６との配置角度が対応しており、前記ギヤチャンバ３０の頂部端面には前記ギヤチャンバ３０と連通した第二推し動かしばね３２が設置され、前記第二推し動かしばね３２の中には前記円形凹溝５０と協働できる円錐型棒状体３４がスライドできるように取り付けられ、前記円錐型棒状体３４と前記第二推し動かしばね３２の底壁との間には円錐型棒状体溝３３が固定的に取り付けられ、前記第一ギヤ３１が一つの角度回転すれば芯３６に相応した角度を回転させることができ、それによって異なる芯３６の切換を実現でき、前記切換部品８０の間の右側には選択部品８１が設置され、前記選択部品８１は前記切換チャンバ４２の右側に設置された推し動かしブロック溝１７を含み、前記推し動かしブロック溝１７の中には推し動かしブロック２０がスライドできるように取り付けられ、前記推し動かしブロック溝１７の右側内壁と前記ボディー１０の右側端面との間には連通した推しヘッド溝２２が設置され、前記推し動かしブロック２０には手で直接に推し動かされることができる推しヘッド２３が固定的に取り付けられ、前記推し動かしブロック溝１７の左側内壁と前記切換チャンバ４２の右側内壁との間には連通した位置制限ロッド溝２１が設置され、前記推し動かしブロック２０の左側端面には第一位置制限ロッド３９が固定的に取り付けられ、前記第一位置制限ロッド３９の左側末端には芯３６を推し動かして下方へスライドさせることができる第二位置制限ロッド３８がヒンジで連結され、前記第一位置制限ロッド３９の底部端面には前記芯３６を上方へスライドさせることができる第三位置制限ロッド４０が固定的に取り付けられ、推しヘッド２３を推し動かすと、第一位置制限ロッド３９と第二位置制限ロッド３８とを連動させて異なる色の芯３６を選択できる。
【００１２】
前記切換部品８０はまた前記切換チャンバ４２の左側内壁と前記ボディー１０の左側端面との間に設置された筆替え溝４１を含み、前記ギヤチャンバ３０の頂壁の中には前記ギヤチャンバ３０と連通したローラー溝２４が設置され、前記ローラー溝２４の上下内壁の間にはローラー軸２５が回転できるように取り付けられ、前記ローラー軸２５にはカラーバー付きローラー２６が固定的に取り付けられ、前記カラーバー付きローラー２６には前記芯３６と対応した色付きベルトが設置され、前記カラーバー付きローラー２６の下側端面には回転輪２７が固定的に取り付けられ、前記回転輪２７の下側端面には第二ギヤ２８が固定的に取り付けられ、前記ギヤチャンバ３０の上下内壁の間には中間ギヤ２９が回転できるように取り付けられ、前記中間ギヤ２９と前記第一ギヤ３１とが噛み合っており、前記中間ギヤ２９と前記第二ギヤ２８とが噛み合っており、筆の色を選択する時、回転輪２７を回転させ、回転輪２７がカラーバー付きローラー２６を回転連動させ、回転輪２７が第一ギヤ３１を回転連動させ、カラーバー付きローラー２６にある色を選び出した後、円錐型棒状体３４が円形凹溝５０に引っ掛かり、芯３６が任意に回転して位置をずらすことはしなく、毎度回転輪２７を回転させれば芯３６の切換を実現でき、芯３６が第二調節リング４７に回転した後、芯３６の転換輪４３での位置を調節でき、筆替え溝４１が芯３６を入れ替えることに便利を与える。
【００１３】
前記選択部品８１はまた前記切換チャンバ４２の底壁と前記ボディー１０の底部端面との間に設置された筆だし用フック溝６０を含み、前記筆だし用フック溝６０の左右内壁の中には挟みカバー１１が設置され、前記第二位置制限ロッド３８と前記第一位置制限ロッド３９との間にはトーションばね５１が固定的に取り付けられ、前記推し動かしブロック２０の底部端面にはフック１９が固定的に取り付けられ、前記推し動かしブロック２０の頂部端面と前記推し動かしブロック溝１７の底壁との間には第二推し動かしばね１８が固定的に取り付けられ、前記推し動かしブロック溝１７の底壁には前記推し動かしブロック溝１７と連通したフック溝１２が設置され、前記フック溝１２の左右内壁の中にはフック溝１２と連通した押しボタン溝１４が設置され、前記押しボタン溝１４の中には押しボタン１５がスライドできるように取り付けられ、前記押しボタン１５の左側端面と前記押しボタン溝１４の左側内壁との間には押しボタンばね１３が固定的に取り付けられ、前記押しボタン１５には固定棒状体１６が固定的に取り付けられ、前記固定棒状体１６と前記フック１９とが互いに引っ掛かることができ、芯３６を選び出した後、推しヘッド２３を下方へ推し動かし、推しヘッド２３が芯３６を連動させて下方へスライドさせ、芯３６が第二位置制限ロッド３８と第一位置制限ロッド３９とに押し出され、フック１９が固定棒状体１６を引っ掛けることは芯３６で字を書く時に芯３６が戻ることを防止でき、芯３６を収める時、押しボタン１５を押し、押しボタン１５が固定棒状体１６を連動させてフック１９に引っ掛けないようにさせ、第三位置制限ロッド４０が芯３６を上方へ運動連動させて切換チャンバ４２の中に戻らせる。
【００１４】
使用の時：筆の色を選択する時、回転輪２７を回転させ、回転輪２７がカラーバー付きローラー２６を回転連動させ、回転輪２７が第一ギヤ３１を回転連動させ、カラーバー付きローラー２６にある色を選び出した後、円錐型棒状体３４が円形凹溝５０に引っ掛かり、芯３６が任意に回転して位置をずらすことはしなく、毎度回転輪２７を回転させれば芯３６の切換を実現でき、芯３６が第二調節リング４７に回転した後、芯３６の転換輪４３での位置を調節でき、芯３６を選び出した後、推しヘッド２３を下方へ推し動かし、推しヘッド２３が第二位置制限ロッド３８と第一位置制限ロッドとを連動させて芯３６を下方へ推し動かし、フック１９が下方へフック溝１２の中に入った時、フック１９が固定棒状体１６を引っ掛けることができ、芯３６は第二位置制限ロッド３８と第一位置制限ロッド３９とに押し出されることができ、フック１９が固定棒状体１６を引っ掛けることは芯３６で字を書く時に芯３６が戻ることを防止でき、芯３６を収める時、押しボタン１５を押し、押しボタン１５が固定棒状体１６をフック１９に引っ掛けないように連動させ、第二推し動かしばね１８が推し動かしブロック２０と第三位置制限ロッド４０とを推し動かして上方へ運動させ、第三位置制限ロッド４０が芯３６を上方へ運動連動させて切換チャンバ４２の中に戻らせる。
【００１５】
本発明の有益な効果は：本発明は異なる色の彩色筆を同じのボディーの中に置くことができ、それは占用されるスペースを減少し、色の選択に便利であり、字を書く又は彩色筆を通常に貯蔵する時、芯の位置は唯一で固定され、位置ずれは発生しなく、使用が便利で、普及する価値がある。
【００１６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020183104.tif 000003
【図２】
2020183104.tif 000004
【図３】
2020183104.tif 000005
【図４】
2020183104.tif 000006
【図５】
2020183104.tif 000007
【図６】
2020183104.tif 000008
【図７】
2020183104.tif 000009